【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
パノラマプリントモードであるか否かを判別する判別手段と、
前記判別手段によりパノラマプリントモードであると判別された場合、パノラマ画像をプリントするための画像データのグループを特定するための付帯情報を読み出し、読み出された付帯情報に応じてパノラマ画像を合成するための画像データを選択する選択手段と、
前記選択手段により選択された画像データを読み出しパノラマ画像合成処理を行う処理手段と、
前記処理手段によりパノラマ画像合成処理された画像データに基づきパノラマ画像をプリントするプリント手段とを有することを特徴とするプリンタ。
【請求項２】
前記プリント手段は、昇華型プリンタであり、
前記判別手段は、パノラマプリント用のインクカセットがセットされている場合、または、パノラマプリント用の紙カセットがセットされている場合、パノラマプリントモードであると判別することを特徴とする請求項１記載のプリンタ。
【請求項３】
前記プリント手段は、昇華型プリンタであり、
前記判別手段は、パノラマプリント用のインクカセットがセットされており、かつ、パノラマプリント用の紙カセットがセットされている場合、パノラマプリントモードであると判別することを特徴とする請求項１記載のプリンタ。
【請求項４】
前記プリント手段は、インクジェットプリンタであり、
前記判別手段は、スイッチによりパノラマプリントモードが設定されている場合、パノラマプリントモードであると判別することを特徴とする請求項１記載のプリンタ。
【請求項５】
自動プリント開始を指示する指示手段を有し、
前記指示手段による指示に基づき、前記判別手段による判別、前記選択手段による選択、前記処理手段による処理、及び前記プリント手段によるプリントを実行することを特徴とする請求項１記載のプリンタ。
【請求項６】
前記画像データと前記付帯情報とを記憶する記憶手段を接続する接続手段を有することを特徴とする請求項１記載のプリンタ。
【請求項７】
前記判別手段によりパノラマプリントモードでないと判別された場合に、プリントマーカにより指定されている画像データを選択する第２選択手段を有し、
前記第２選択手段により選択された画像データに基づく画像を前記プリント手段にプリントさせることを特徴とする請求項１記載のプリンタ。
【請求項８】
パノラマプリントモードであるか否かを判別する判別ステップと、
前記判別ステップによりパノラマプリントモードであると判別された場合、パノラマ画像をプリントするための画像データのグループを特定するための付帯情報を読み出し、読み出された付帯情報に応じてパノラマ画像を合成するための画像データを選択する選択ステップと、
前記選択ステップにより選択された画像データを読み出しパノラマ画像合成処理を行う処理ステップと、
前記処理ステップによりパノラマ画像合成処理された画像データに基づきパノラマ画像をプリント手段にプリントさせるプリントステップとを有することを特徴とするプリント方法。
【請求項９】
前記プリント手段は、昇華型プリンタであり、
前記判別ステップは、パノラマプリント用のインクカセットがセットされている場合、または、パノラマプリント用の紙カセットがセットされている場合、パノラマプリントモードであると判別することを特徴とする請求項８記載のプリント方法。
【請求項１０】
前記プリント手段は、昇華型プリンタであり、
前記判別ステップは、パノラマプリント用のインクカセットがセットされており、かつ、パノラマプリント用の紙カセットがセットされている場合、パノラマプリントモードであると判別することを特徴とする請求項８記載のプリント方法。
【請求項１１】
前記プリント手段は、インクジェットプリンタであり、
前記判別ステップは、スイッチによりパノラマプリントモードが設定されている場合、パノラマプリントモードであると判別することを特徴とする請求項８記載のプリント方法。
【請求項１２】
自動プリント開始を指示する指示ステップを有し、
前記指示ステップによる指示に基づき、前記判別ステップによる判別、前記選択ステップによる選択、前記処理ステップによる処理、及び前記プリントステップによりプリントを実行させることを特徴とする請求項８記載のプリント方法。
【請求項１３】
前記画像データと前記付帯情報とは、接続されている記憶手段より読み出されることを特徴とする請求項８記載のプリント方法。
【請求項１４】
前記判別ステップによりパノラマプリントモードでないと判別された場合に、プリントマーカにより指定されている画像データを選択する第２選択ステップを有し、
前記第２選択ステップにより選択された画像データに基づく画像を前記プリント手段にプリントさせることを特徴とする請求項８記載のプリント方法。
【請求項１５】
パノラマプリントモードであるか否かを判別する判別ステップと、
前記判別ステップによりパノラマプリントモードであると判別された場合、パノラマ画像をプリントするための画像データのグループを特定するための付帯情報を読み出し、読み出された付帯情報に応じてパノラマ画像を合成するための画像データを選択する選択ステップと、
前記選択ステップにより選択された画像データを読み出しパノラマ画像合成処理を行う処理ステップと、
前記処理ステップによりパノラマ画像合成処理された画像データに基づきパノラマ画像をプリント手段にプリントさせるプリントステップとを有するプログラムを記憶する記憶媒体。
【請求項１６】
前記プリント手段は、昇華型プリンタであり、
前記判別ステップは、パノラマプリント用のインクカセットがセットされている場合、または、パノラマプリント用の紙カセットがセットされている場合、パノラマプリントモードであると判別することを特徴とする請求項１５記載の記憶媒体。
【請求項１７】
前記プリント手段は、昇華型プリンタであり、
前記判別ステップは、パノラマプリント用のインクカセットがセットされており、かつ、パノラマプリント用の紙カセットがセットされている場合、パノラマプリントモードであると判別することを特徴とする請求項１５記載の記憶媒体。
【請求項１８】
前記プリント手段は、インクジェットプリンタであり、
前記判別ステップは、スイッチによりパノラマプリントモードが設定されている場合、パノラマプリントモードであると判別することを特徴とする請求項１５記載の記憶媒体。
【請求項１９】
自動プリント開始を指示する指示ステップを有し、
前記指示ステップによる指示に基づき、前記判別ステップによる判別、前記選択ステップによる選択、前記処理ステップによる処理、及び前記プリントステップによりプリントを実行させることを特徴とする請求項１５記載の記憶媒体。
【請求項２０】
前記画像データと前記付帯情報とは、接続されている記憶手段より読み出されることを特徴とする請求項１７記載の記憶媒体。
【請求項２１】
前記判別ステップによりパノラマプリントモードでないと判別された場合に、プリントマーカにより指定されている画像データを選択する第２選択ステップを有し、
前記第２選択ステップにより選択された画像データに基づく画像を前記プリント手段にプリントさせることを特徴とする請求項１５記載の記憶媒体。
【請求項２２】
画像データとパノラマ画像をプリントするための画像データのグループを特定するための付帯情報とを記憶する記憶手段を接続する接続手段と、
前記記憶手段から読み出されたパノラマ画像をプリントするための画像データのグループを特定するための付帯情報に応じてパノラマ画像を合成するための画像データを選択する選択手段と、
前記選択手段により選択された画像データのパノラマ画像合成処理を行う処理手段と、
前記処理手段によりパノラマ画像合成処理された画像データに基づきパノラマ画像をプリントするプリント手段とを有することを特徴とするプリンタ。
【請求項２３】
画像データとパノラマ画像をプリントするための画像データのグループを特定するための付帯情報とを記憶する記憶手段を接続する接続手段を有するプリンタにおけるプリント方法であって、
前記記憶手段から読み出されたパノラマ画像をプリントするための画像データのグループを特定するための付帯情報に応じてパノラマ画像を合成するための画像データを選択する選択ステップと、
前記選択ステップにより選択された画像データのパノラマ画像合成処理を行う処理ステップと、
前記処理ステップによりパノラマ画像合成処理された画像データに基づきパノラマ画像をプリントするプリントステップとを有することを特徴とするプリント方法。